(57)【要約】【課題】伸縮機能を備えた支持装置を提供する。【解決手段】第１支持部材と、第１管部材と、第２管部材と、接続部材と、第１留め金と、を備える。前記第１管部材は、前記第１支持部材に固定し、前記第２管部材は、前記第１管部材を受け持ち、前記第１管部材は、複数の第１固定穴を設けられ、前記第２管部材は、複数の第２固定穴を設けられている。前記接続部材は、接続部とスクリューレバーを設けられ、前記第１留め金は、第１調節穴と少なくとも一つの固定部を設けられている。前記第１調節穴は、前記第１スクリューレバーに設けられ、前記第１固定部は、前記第１固定穴と前記第２固定穴に固定して、前記支持装置の長さを調節することができる。【選択図】図２
0003172945.tif 000002
【実用新案登録請求の範囲】
【請求項１】
第１支持部材、第１管部材、第２管部材、接続部材、第１留め金と、を有する伸縮機能を備えた支持装置であって、
前記第１支持部材は、第１結合部と第１支持部とを有し、前記第１結合部と前記第１支持部は、それぞれ前記第１支持部材の両端部に位置されており、
前記第１管部材は、前記第１支持部材の第１結合部に固定していて、前記第１管部材は、第１収容空間と、複数の第１固定穴と、を備えており、前記第１収容空間は、軸方向により前記第１管部材に設けられ、前記第１固定穴は、径方向により前記第１管部材を貫通していて、前記第１収容空間に連絡し、前記第１固定穴は、前記第１管部材の径方向位置に平行して配設されている、
前記第２管部材は、前記第１管部材を支持し、前記第２管部材は、第２収容空間と、複数の第２固定穴と、を有し、前記第２収容空間は、軸方向により前記第２管部材に設けられ、前記第２固定穴は、径方向により前記第２管部材に貫通していて、かつ前記第２固定穴は、前記第２収容空間に達し、前記第２固定部は、前記第２管部材の径方向位置に平行して配設されており、
前記接続部材は、接続部と、第１スクリューレバーと、を設けられ、前記接続部の円中心部に、前記第１スクリューレバーが形成されており、
前記第１留め金は、第１調節穴と、少なくとも一つの第１固定部とを有し、前記第１調節穴は、前記第１スクリューレバーに設けられ、前記第１固定部は、前記第１固定穴と、前記第２固定穴に固定することができる、使用者が前記第１留め金の前記第１固定部を圧下し、前記第１固定部を前記第１固定穴引き離し、前記第１管部材と前記第２管部材は、前記第１留め金に対して摺動することにより、支持装置の長さを調節することができることを特徴とする伸縮機能を備えた支持装置。
【請求項２】
第２支持部材、第３管部材、第４管部材と、第２留め金を有し、前記第２支持部材は、第２結合部と、第２支持部と、を含み、前記第２結合部と、前記第２支持部は、それぞれ前記第１支持部材の両端部に位置し、前記第３管部材は、前記第２支持部材の前記第２結合部に固定され、前記第３管部材は、第３収容空間と複数の第３固定穴と、を設けられ、前記第３収容空間は、軸方向により前記第３管部材に設けられ、前記第３固定穴は、径方向により前記第３管部材に貫通していて、前記第３収容空間に達しており、前記第３固定穴は、前記第３管部材の径方向位置に平行して配設され、前記第４管部材は、前記第３管部材を支持し、前記第４管部材は、第４収容空間と、複数の第４固定穴と、を設けられ、前記第４収容空間は、軸方向に前記第４管部材に設けられ、前記第４固定穴は、径方向により前記第４管部材を貫通していて、前記第４収容空間に達し、前記第４固定穴は、前記第４管部材の径方向位置に平行して配設され、前記接続部材は、第２スクリューレバーを設けられ、前記接続部の円中心部に前記第２スクリューレバーを形成していて、前記接続部の円中心部に反対の両端部は、前記第１スクリューレバーと前記第２スクリューレバーと、が形成されており、前記第２留め金は、第２調節穴と、少なくとも一つの第２固定部と、を設けられ、前記第２調節穴は、前記第２スクリューレバーに設けられ、前記第２固定部は、前記第３固定穴と、前記第４固定穴に固定することができ、使用者は前記第３管部材と前記第４管部材を相対的に摺動することにより、支持装置の長さを調節することができることを特徴とする請求項１記載の伸縮機能を備えた支持装置。
【請求項３】
前記第１管部材の両側に、前記第１固定穴が設けられ、前記第２管部材の両側も前記第２固定穴を設けられており、前記第１留め金の中間部は、前記第１調節穴を設けられていて、前記第１調節穴はねじ穴を形成し、前記第１留め金の両端は、中間部において、折曲状の２本の第１脚を形成され、前記第１脚に第１固定部を凸設し、２つの前記第１固定部は、それぞれ反対の両端部に向かっていて、前記第３管部材の両側に前記第３固定穴が設けられ、前記第４管部材の両側に前記第４固定穴が設けられ、前記第２留め金の中間部に、前記第２調節穴が設けられ、前記第２調節穴は、ねじ穴を形成し、前記第２留め金の両端は、中間部に対して、折曲状を形成した２本の第２脚が形成されており、前記第２脚は、前記第２固定部が凸設され、前記第２固定部は、それぞれ反対側に向かっていて、前記第１留め金は、第１ナットを設けられ、前記第２留め金は、第２ナットを設けられており、前記第１ナットは、前記第１留め金の中間部に固定され、前記第１ナットのねじ穴は、前記第１調節穴に対応し、前記第２ナットのねじ穴は、前記第２調節穴に対応して、前記第１ナットによって、前記第１留め金と前記第１スクリューレバーとの螺合の部位を増やし、前記第２ナットによって、前記第２留め金と前記第２スクリューレバーとの螺合の部位を増やし、前記第１スクリューレバーと前記第２スクリューレバーのねじ山は、それぞれ正方向のねじ山と逆方向のねじ山となっており、使用者が前記接続部材を回して、前記接続部材の前記第１スクリューレバーを前記第１留め金の前記第１調節穴に対して回動し、前記接続部材の前記第２スクリューレバーを前記第２留め金に対して回動することにより、前記第１留め金と前記第２留め金が同時に前記接続部を接近または引き離すことができ、前記接続部材は、第１嵌合部と第２嵌合部と、を設けられ、前記接続部の外周縁が反対する両端部に向かって、第１嵌合部と第２嵌合部を設けられ、前記第１嵌合部は、前記第１スクリューレバーに対応していて、前記第１嵌合部の長さは、前記第１スクリューレバーの長さより小さく、前記第２嵌合部は、前記第２スクリューレバーに対応していて、前記第２嵌合部の長さは、前記第２スクリューレバーの長さより小さい、前記第１嵌合部を前記第２管部材に嵌合し、前記第２嵌合部を前記第４管部材に嵌合し、前記第１管部材は、筒状を形成し、前記第１管部材は、第１結合端を設けられ、前記第１結合端は、前記第１管部材の一端に位置し、前記第１結合端は、前記第１結合部に当設しており、前記第２管部材は、筒状を形成し、前記第２管部材は、第２結合端を設けられ、前記第２結合端は、前記第２管部材の一端に位置し、前記第３管部材は、筒状を形成し、前記第３管部材に第３結合端を設けられ、前記第３結合端は、前記第３管部材の一端に位置し、前記第３結合端は、前記第２結合部に当設していて、前記第４管部材は筒状を形成し、前記第４管部材は、第４結合端を設けられ、前記第４結合端は、前記第４管部材の一端に位置することを特徴とする請求項２記載の伸縮機能を備えた支持装置。
【考案の詳細な説明】
【技術分野】
【０００１】
本考案は、支持装置に関し、特に伸縮機能を備えた支持装置に関する。
【背景技術】
【０００２】
中華民国特許証書第Ｍ３３１９３３号（特許文献１）、伸縮調節可能な多機能支持装置を参照する。伸縮部材、少なくとも一つの固定部材と、第１支持部材と、第２支持部材と、を備える。前記伸縮部材は、複数の管を軸方向に枢接してなる。前記管と管との間は、補助スリーブを設けられ、各管の軸方向伸縮を補助する。前記伸縮部材の両端部は、それぞれ結合部を設けられている。少なくとも一つの固定部材は、第１管、前記補助スリーブ及び第２管に合わせて穿設し固定されている。前記支持部材の一端は、前記伸縮部材一端の結合部に合わせて組み合わせられ、前記第１支持部材もう一端は、滑り止めブロックによって、所定場所に当接されている。前記第２支持部材の一端は、前記伸縮部材のもう一端に合わせて組み合わせて置き、前記第２支持部材のもう一端は、滑り止めブロックによって、所定場所に当接されている。
【０００３】
使用者は、まず伸縮部材の第１管、第２管及び補助スリーブを互いに合わせて組み込み、第１管の固定穴は、補助スリーブを介して、第２管にて摺動することができ、第１管と第２管を適切な長さに調節した後、固定部材を第１管の固定穴、補助スリーブの固定穴および第２管の固定穴を貫いて固定して置き、使用者は、環境の高さに従って、高さを変更し、伸縮部材の長さを簡単に調節して適用範囲を広げることができる。固定部材は、割りピンと留め具と、を有する。固定部材の割りピンの外径は、第１管の固定穴の内径より小さく、割りピン一端の外壁の径方向は、保持縁を繞設され、割りピン他端の径方向に貫通穴を成形されている。留め具はＵ字形を形成し、割りピンは第１管の固定穴、補助スリーブの固定穴と、第２管の固定穴に合わせて穿設されている。割りピンが外力の圧迫を受けて抜け落ちることを防止するため、割りピンの保持縁を第２管の外壁に当設して置き、固定部材を第１管の固定穴、補助スリーブの固定穴及び第２管の固定穴に穿設し固定されている。
【先行技術文献】
【特許文献】
【０００４】
【特許文献１】中華民国特許証書Ｍ３３１９３３号
【考案の概要】
【考案が解決しようとする課題】
【０００５】
この種の割りピンを固定穴に挿設していて、かつ割りピンが固定穴より抜け出すことを防止するために留め具を割りピンに留める設計は、操作するときに不便である。使用者は、まず留め具を割りピンを抜け出してから、割りピンを固定穴から抜け出さなければ、第１管と第２管を相対的に摺動することができない。
【０００６】
しかし、割りピンが固定穴より抜け出すと、第１管と第２管との間の連結関係を失ってしまい、第１管は、完全に第２管に延ばしてしまうのである。このとき、使用者はさらに、第１管を所定位置までを抜き出してから、割りピンを第１管と第２管に挿設すると共に、留め具を割りピンに留めて、伸縮棒を固定する目的を達成することができる。この種の設計は、使用者にとって、留め具と割りピンを繰り返して抜き出す必要があり、操作は不便である。さらに、使用者が伸縮棒の高さを所定の位置に固定しなければ、割りピンと留め具を伸縮棒に固定することができない。
【０００７】
考案者は、この分野で長年従事した経験に基づき、確実に前述問題を解決可能な伸縮機能を備えた支持装置を提示する。
【課題を解決するための手段】
【０００８】
本考案の主な技術手段は、使用者が第１留め金の第１固定部を圧下し、第１固定部を第１管部材の第１固定穴より引き離す。このとき、第１固定部は、なお第２管部材の第２固定穴に固定されており、使用者は第１管部材と第２管部材を相対的に摺動させることによって、支持装置の長さを調節することができる。使用者が第１留め金の第１固定部を圧下し、第１固定部を第１固定穴と第２固定穴を同時に引き離すことにより、第１管部材と第２管部材は、第２留め金に対して摺動させ、支持装置の長さを調節することができる。使用者は第２留め金の第２固定部を圧下し、第２固定部を第３管部材の第３固定穴より引き離す。このとき、第２固定部は第４管部材の第４固定穴に固定したままに、支持装置の長さを調節することができる。使用者が第２留め金の第２固定部を圧下し、第２固定部を第３固定穴と第４固定穴を同時に引き離すことにより、第３管部材と第４管部材は、第２留め金に対して摺動させ、支持装置の長さを調節することができる。使用者は簡単な圧下により支持装置の長さを調節することができる。
【０００９】
本考案の次の技術手段は、使用者が接続部材を回して、接続部材の第１スクリューレバーを第１留め金の第１調節穴に対して回すと同時に、接続部材の第２スクリューレバーを第２留め金の第２調節穴に対して回すことにより、第１留め金と第２留め金を同時に、接続部に接近するかまたは引き離すことができる。
【００１０】
本考案もう一つの技術手段の改良は、第１留め金に第１ナットが設けられており、第２留め金に第２ナットが設けられている。第１ナットは第１スクリューレバーに設けられ、第２ナットは第２スクリューレバーに設けられている。第１ナットによって、第１留め金と第１スクリューレバーの螺合の接触位置を増やすことができる。第２ナットによって、第２留め金と第２スクリューレバーとの螺合の接触位置を増やすことができる。
【考案の効果】
【００１１】
本考案の伸縮機能を備えた支持装置は、以下の長所を有することが理解できる。
【００１２】
イ．本考案の伸縮機能を備えた支持装置によれば、使用者が第１留め金の第１固定部を圧下し、第１固定部を第１管部材の第１固定穴より引き離す。このとき、第１固定部は、なお第２管部材の第２固定穴に固定していて、使用者は第１管部材と第２管部材を相対的に摺動させることによって、支持装置の長さを調節することができる。使用者が第１留め金の第１固定部を圧下し、第１固定部を第１固定穴と第２固定穴を同時に引き離すことにより、第１管部材と第２管部材を、第２留め金に対して摺動させ、支持装置の長さを調節することができる。使用者が第２留め金の第２固定部を圧下し、第２固定部を第３管部材の第３固定穴より引き離す。このとき、第２固定部は、なお第４管部材の第４固定穴に固定されており、使用者は第３管部材と第４管部材を相対的に摺動させることによって、支持装置の長さを調節することができる。使用者が第２留め金の第２固定部を圧下し、第２固定部を第３固定穴と第４固定穴を同時に引き離すことにより、第３管部材と第４管部材は、第２留め金に対して摺動され、支持装置の長さを調節することができる。使用者は簡単な圧下により支持装置の長さを調節することができる。
【００１３】
ロ．本考案の伸縮機能を備えた支持装置によれば、使用者が接続部材を回して、接続部材の第１スクリューレバーを第１留め金の第１調節穴に対して回すと同時に、接続部材の第２スクリューレバーを第２留め金の第２調節穴に対して回すことにより、第１留め金と第２留め金を同時に、接続部に接近するかまたは引き離すことができる。
【００１４】
ハ．本考案の伸縮機能を備えた支持装置によれば、第１留め金に第１ナットが設けられており、第２留め金に第２ナットが設けられている。第１ナットは第１スクリューレバーに設けられ、第２ナットは第２スクリューレバーに設けられている。第１ナットによって、第１留め金と第１スクリューレバーの螺合の接触位置を増やすことができる。第２ナットによって、第２留め金と第２スクリューレバーとの螺合の接触位置を増やすことができる。
【図面の簡単な説明】
【００１５】
【図１】本考案の実施例１の立体外観図である。
【図２】本考案の実施例１の立体分解図である。
【図３】本考案の実施例１の断面視図である。
【図４】本考案の図３一部を示す細部拡大図である。
【図５】本考案の第１留め金と第２留め金の位置を変える動作を示す図で、第２固定部が圧下された態様図である。
【図６】本考案の第１留め金と第２留め金の位置を変える動作を示す図で、第３管部材と第４管部材が相対的に摺動する態様図である。
【図７】本考案の第１留め金と第２留め金の位置を変える動作を示す図で、第１管部材と第２管部材が相対的に摺動する態様図である。
【図８】本考案の接続部材を回して、支持装置の長さを調節する動作を示す図で、支持装置の長さを増やす態様図である。
【図９】本考案の接続部材を回して、支持装置の長さを調節する動作を示す図で、支持装置の長さを減らす態様図である。
【図１０】本考案の実施例２の断面図である。
【図１１】本考案の実施例２の細部拡大図である。
【図１２】本考案を冷蔵庫に適用したときの立体斜視図である。
【図１３】本考案を冷蔵庫に適用したときの正面図である。
【図１４】本考案を洋服たんすに適用したときの正面図である。
【図１５】本考案をぶら下げ台に適用したときの斜視図である。
【図１６】本考案をぶら下げ台に適用し、かつ物品をぶら下げたときの側面図である。
【図１７】本考案を第１種の洋服掛けに適用したときの立体斜視図である
【図１８】本考案を第１種の洋服掛けに適用したときの正面図である
【図１９】本考案を第２種の洋服掛けに適用したときの立体斜視図である
【図２０】本考案を第２種の洋服掛けに適用したときの正面図である
【図２１】本考案を第３種の洋服掛けに適用したときの立体斜視図である
【図２２】本考案を第３種の洋服掛けに適用したときの正面図である
【図２３】本考案を第４種の洋服掛けに適用したときの立体斜視図である
【図２４】本考案を洋服掛けに適用したときの正面図である。
【考案を実施するための形態】
【実施例１】
【００１６】
図１ないし４、本考案の伸縮機能を備えた支持装置の実施例１の立体斜視図、立体分解図と、断面図を参照する。本考案の伸縮機能を備えた支持装置は、第１支持部材１０、第１管部材２０、第２管部材３０、接続部材４０、第１留め金５０、第２支持部材６０、第３管部材７０、第４管部材８０と、第２留め金９０と、を備える。第１管部材２０は、第１支持部材１０に結合し、第２管部材３０は、第１留め金５０によって、第１管部材２０に対して摺動することができる。接続部材４０は、第１留め金５０と、第２留め金９０が設けられ、第３管部材７０は、第２支持部材６０に結合していて、第４管部材８０は、第２留め金９０によって、第３管部材７０に対して摺動することができる。
【００１７】
第１支持部材１０は、第１結合部１１、第１支持部１２と、を有する。第１結合部１１と第１支持部１２は、それぞれ第１支持部材１０反対側の両端部に位置する。第１結合部１１は、円筒状を形成し、第１支持部１２は、平面状を形成する。第１支持部１２は、床または壁面あるいは家具の上面によって支えることができる。
【００１８】
第１管部材２０は、筒状を形成し、第１管部材２０は、第１支持部材１０の第１結合部１１に固定する。第１管部材２０は、第１結合端２１、第１収容空間２２と、複数の第１固定穴２３が設けられている。第１結合端２１は、第１管部材２０の一端に位置し、第１管部材件２０は、第１結合部１１に嵌合していて、第１管部材２０の第１結合端２１は、締まりばめ、粘着、溶接または、その他固定方式によって、第１結合部１１に結合することができ、第１結合端２１は、第１結合部１１に当設する。第１収容空間２２は、軸方向に第１管部材２０に設け、第１固定穴２３は、軸方向に、第１管部材２０を穿設されていて、かつ第１固定穴２３は、第１収容空間２２に貫通されている。第１固定穴２３は平行して、第１管部材２０の径方向位置に配設され、第１管部材２０の両側とも、第１固定穴２３を設けられている。
【００１９】
第２管部材３０は、筒状を形成され、第２管部材３０は第１管部材２０を支持するよう、第１管部材２０の第１収容空間２２に嵌合する。第２管部材３０は、第２結合端３１、第２収容空間３２と、複数の第２固定穴３３を設けられている。第２結合端３１は、第２管部材３０の一端に位置し、第２結合端３１は、第１結合端２１に向かっており、第２収容空間３２は、軸方向に第２管部材３０に設け、第２固定穴３３は、径方向により第２管部材３０を貫通していて、第２収容空間３２に達する。第２固定穴３３は、平行して第２管部材３０の径方向位置に配設され、第２管部材３０の両側とも第２固定穴３３を設けられている。
【００２０】
接続部材４０は、接続部４１、第１嵌設部４２、第２嵌設部４３、第１スクリューレバー４４と、第２スクリューレバー４５と、を有する。接続部４１の外周縁は、反対の両端部に向かって、それぞれ第１嵌設部４２と第２嵌設部４３を形成する。接続部４１の円心は、反対の両端部に向かって、第１スクリューレバー４４と第２スクリューレバー４５を形成する。第１嵌設部４２は、第１スクリューレバー４４に対応し、第１嵌設部４２の長さは、第１スクリューレバー４４の長さより小さく、第２嵌設部４３は、第２スクリューレバー４５に対応し、第２嵌設部４３の長さは、第２スクリューレバー４５の長さより小さい。第１スクリューレバー４４と第２スクリューレバー４５は、それぞれ正、逆ねじ山となっている。
【００２１】
第１留め金５０は、シート体を折曲して形成されている。第１留め金５０の中間部は、第１調節穴５１を設けられ、第１調節穴５１は、ねじ穴を形成する。第１留め金５０の両端部は、中間部位置に対して、それぞれ屈曲状を呈し、２本の第１脚５２を形成する。第１脚５２は、それぞれ第１固定部５３を凸設していて、２つの第１固定部５３は、それぞれ反対の両側に向かっている。第１調節穴５１は、第１スクリューレバー４４に螺合され、第１固定部５３は、第１固定穴２３と第２固定穴３３に固定することができる。
【００２２】
第２支持部材６０は、第１支持部材１０に同じく、第２支持部材６０は、第２結合部６１と第２支持部６２を有し、第２結合部６１と第２支持部６２は、それぞれ第２支持部材６０の反対の両端部に位置する。第２結合部６１は、円筒状を形成し、第２支持部６２は、平面状を形成する。第２支持部６２は、床または壁面あるいは家具の上面によって支えることができる。
【００２３】
第３管部材７０は、第１管部材２０に同じく、第３管部材７０は、筒状を形成し、第３管部材７０は、第２支持部材６０の第２結合部６１に固定されている。第３管部材７０は、第３結合端７１、第３収容空間７２と、複数の第３固定穴７３を設けられている。第３結合端７１は、第３管部材７０の一端に位置し、第３管部材件７０は、第２結合部６１に嵌合していて、第３管部材７０が第３結合端７１に位置する一端は、締まりばめ、粘着、溶接または、その他固定方式によって、第２結合部６１に結合することができ、第３結合端７１は、第２結合部６１に当設する。第３収容空間７２は、軸方向に第３管部材７０に設け、第３固定穴７３は、軸方向に、第３管部材７０を貫通して、第３収容空間７２に達する。第３固定穴７３は、第３管部材７０の径方向位置に平行して配設され、第３管部材７０の両側とも、第３固定穴７３を設けられている。
【００２４】
第４管部材８０は、第２管部材３０と同じく、第４管部材８０は筒状を形成し、第４管部材８０は第３管部７０を支持し、第３管部７０の第３収容空間７２に嵌合されている。第４管部材８０は、第４結合端８１、第４収容空間８２と、複数の第４固定穴８３を設けられている。第４結合端８１は、第４管部材８０の一端に位置し、第４結合端８１は、第３結合端７１に向かっており、第４収容空間８２は、軸方向により第４管部材８０に設け、第４固定穴８３は、径方向により第４管部材８０を貫通していて、第４収容空間８２に達し、第４固定穴８３は、平行して第４管部材８０の径方向位置に配設され、第４管部材８０の両側とも第４固定穴８３を設けられている。
【００２５】
第２留め金９０は、第１留め金５０に同じく、シート体を折曲して形成されている。第２留め金９０の中間部は、第２調節穴９１を設けられ、第２調節穴９１は、ねじ穴を形成する。第２留め金９０の両端部は、中間部位置に対して、それぞれ屈曲状を呈し、２本の第２脚９２を形成する。第２脚９２は、それぞれ第２固定部９３を凸設していて、２つの第２固定部９３は、それぞれ反対の両側に向かっている。
【００２６】
接続部材４０の第１嵌合部４２を第２管部材３０が第２結合端３１反対側の一端に嵌合し、第１スクリューレバー４４は、第１留め金５０の第１調節穴５１に螺着され、第１留め金５０は、第２管部材３０の第２収容空間３２の内部に配置される。第１留め金５０の第１脚５２の第１固定部５３は、第２管部材３０の第２固定穴３３と第１管部材２０の第１固定穴２３に固定されている。
【００２７】
接続部材４０の第２嵌合部４３を第４管部材８０が第４結合端８１反対側の一端に嵌合し、第２スクリューレバー４５は、第２留め金９０の第２調節穴９１に螺着され、第２留め金９０は、第４管部材８０の第４収容空間８２の内部に配置される。第２留め金９０の第２脚９２の第２固定部９３は、第４管部材８０の第４固定穴８３と第３管部材７０の第３固定穴７３に固定されている。
【００２８】
図５ないし７によって、本考案の第１留め金５０と第２留め金９０の固定位置を変更する動作態様を説明する。支持装置の第１管部材２０と第２管部材３０は、相対的に調節することにより、支持装置の長さを調節できるほか、第３管部材７０と第４管部材８０も相対的に調節することにより、支持装置の長さを変更することができる。使用者が第１留め金５０の第１固定部５３を圧下し、第１固定部５３を第１管部材２０の第１固定穴２３より引き離す。このとき、第１固定部５３は、なお第２管部材３０の第２固定穴３３に固定していて、使用者は第１管部材２０と第２管部材３０を相対的に摺動させることによって、支持装置の長さを調節することができる。使用者が第１留め金５０の第１固定部５３を圧下し、第１固定部５３を第１固定穴２３と第２固定穴３３を同時に引き離すことにより、第１管部材２０と第２管部材３０は、第２留め金５０に対して摺動することができ、支持装置の長さを調節することができる。
【００２９】
使用者が第２留め金９０の第２固定部９３を圧下し、第２固定部９３を第３管部材７０の第３固定穴７３より引き離す。このとき、第２固定部９３は、なお第４管部材８０の第４固定穴８３に固定していて、使用者は第３管部材７０と第４管部材８０を相対的に摺動させることによって、支持装置の長さを調節することができる。使用者が第２留め金９０の第２固定部９３を圧下し、第２固定部９３を第３固定穴７３と第４固定穴８３を同時に引き離すことにより、第３管部材７０と第４管部材８０は、第２留め金９０に対して摺動することができ、支持装置の長さを調節することができる。
【００３０】
使用者は簡単な圧下により支持装置の長さを調節することができる。
【００３１】
図８と９により、本考案の接続部材を回し、支持装置の長さを調節する動作態様を説明する。使用者が接続部材４０を回して、接続部材４０の第１スクリューレバー４４を第１留め金５０の第１調節穴５１に対して回すと同時に、接続部材４０の第２スクリューレバー４５を第２留め金９０の第２調節穴９１に対して回すことにより、第１留め金５０と第２留め金９０を同時に、接続部４１に接近するかまたは引き離すことができる。
【００３２】
第１留め金５０の第１固定部５３は、第１管部材２０の第１固定穴２３と、第２管部材３０の第２固定穴３３に固定することによって、第１留め金片５０は、第１管部材２０と、第２管部材３０に対して摺動することができる。第２留め金９０の第２固定部９３は、第３管部材７０の第３固定穴７３と、第４管部材８０の第４固定穴８３に固定することによって、第２留め金片９０は、第３管部材７０と、第４管部材８０に対して摺動することができる。
【００３３】
よって、接続部材４０を回すと、接続部材４０の第１スクリューレバー４４は、第１留め金５０の第１調節穴５１に対して、縦方向に摺動し、接続部材４０の第２スクリューレバー４５は、第２留め金９０の第２調節穴９１に対して縦方向に摺動させ、支持装置の長さのさらなる微調整の目的を達成する。
【実施例２】
【００３４】
図１０と１１によって、本考案の伸縮機能を備えた支持装置の実施例２について説明する。実施例２と実施例１との違いは、第１留め金５０に第１ナット５４を設けられ、第２留め金９０に第２ナット９４を設けられている点である。第１ナット５４は、溶接または接着方式により、第１留め金５０の中間部位置に固定する。第１ナット５４のねじ穴は、第１調節穴５１に対応し、第２ナット９４のねじ穴は、第２調節穴９１に対応する。第１ナット５４は、第１スクリューレバー４４に螺着し、第２ナット９４は、第２スクリューレバー４５に螺着する。第１ナット５４によって、第１留め金５０と第１スクリューレバー４４螺合の接触部位を増やすことができる。第２ナット９４によって、第２留め金９０と第２スクリューレバー４５との螺合の接触位置を増やすことができる。
【００３５】
図１２と１３により、本考案の伸縮機能を備えた支持装置を冷蔵庫に適用した態様を説明する。本考案の支持装置の第１支持部材１０は、冷蔵庫の上部に設置され、第２支持部材６０は、天井の壁面に支えられている。使用者は、第１固定部５３を圧下し、第１管部材２０と第２管部材３０を相対的に摺動するように操作することができる。さらに、第２固定部９３を圧下し、第３管部材７０と第４管部材８０を相対的に摺動させ、第１固定部５３と第２固定部９３は、支持装置の伸縮長さを大幅に調節することができる。また、使用者は、接続部材４０を回して、支持装置の伸縮長さの微調整を行うことができる。本考案の伸縮機能を備えた支持装置は、冷蔵庫と天井との空間を埋めることができ、冷蔵庫の揺れ動くまたは傾き倒れを確実に防止することができる。
【００３６】
図１４により、本考案の伸縮機能を備えた支持装置を洋服たんすに適用した態様を説明する。本考案の支持装置の第１支持部材１０は、洋服たんすの上部に設置されて、第２支持部材６０は、天井の壁面に支えられている。使用者は、第１固定部５３を圧下し、第１管部材２０と第２管部材３０を相対的に摺動するように操作することができる。さらに、第２固定部９３を圧下し、第３管部材７０と第４管部材８０を相対的に摺動させ、第１固定部５３と第２固定部９３は、支持装置の伸縮長さを大幅に調節することができる。また、使用者は、接続部材４０を回して、支持装置の伸縮長さの微調整を行うことができる。本考案の伸縮機能を備えた支持装置は、洋服たんすと天井との空間を埋めることができ、洋服たんすの揺れ動くまたは傾き倒れを確実に防止することができる。
【００３７】
図１５と１６により、本考案の伸縮機能を備えた支持装置をぶら下げ台に適用した態様を説明する。本考案の支持装置の第１支持部材１０は、床に配置されて、第２支持部材６０は、天井の壁面に支えられている。使用者は、第１固定部５３を圧下し、第１管部材２０と第２管部材３０を相対的に摺動するように操作することができる。さらに、第２固定部９３を圧下し、第３管部材７０と第４管部材８０を相対的に摺動させ、第１固定部５３と第２固定部９３は、支持装置の伸縮長さを大幅に調節することができる。また、使用者は、接続部材４０を回して、支持装置の伸縮長さの微調整を行うことができる。第２管部材３０の胴体部には、複数の連結リング３４を嵌設され、連結リング３４は、架台３５を支持することができ、架台３５には、使用者が物品を置くことができる。第４管部材８０の胴体部は、複数の連結リング８４を嵌設され、連結リング８４は、架台８５を支持することができ、架台８５は、使用者が物品を置くことができる。
【００３８】
図１７〜２４により、本考案の伸縮機能を備えた支持装置を洋服掛けに適用した態様を説明する。本考案の支持装置を洋服掛けに適用するとき、２組の支持装置を接続する必要がある。支持装置の第１支持部材１０は、床に配置されていて、第２支持部材６０は、天井の壁面に支えられている。使用者は、第１固定部５３を圧下し、第１管部材２０と第２管部材３０を相対的に摺動するように操作することができる。さらに、第１固定部５３と第２固定部９３を操作することによって、支持装置の伸縮長さを大幅に調節することができる。また、使用者は、接続部材４０を回して、支持装置の伸縮長さの微調整を行うことができる。２組の支持装置の間は、横棒によって接続していて、かつ使用者の需要に従い、補助棒を追加することができる。
【符号の説明】
【００３９】
１０    第１支持部材
１１    第１結合部
１２    第１支持部
２０    第１管部材
２１    第１結合端
２２    第１収容空間
２３    第１固定穴
３０    第２管部材
３１    第２結合端
３２    第２収容空間
３３    第２固定穴
３４    連結リング
３５    架台
４０    接続部材
４１    接続部
４２    第１嵌設部
４３    第２嵌設部
４４    第１スクリューレバー
４５    第２スクリューレバー
５０    第１留め金
５１    第１調節穴
５２    第１脚
５３    第１固定部
５４    第１ナット
６０    第２支持部材
６１    第２結合部
６２    第２支持部
７０    第３管部材
７１    第３結合端
７２    第３収容空間
７３    第３固定穴
８０    第４管部材
８１    第４結合端
８２    第４収容空間
８３    第４固定穴
８４    連結リング
８５    架台
９０    第２留め金
９１    第２調節穴
９２      第２脚
９３      第２固定部
９４    第２ナット
【図１】
0003172945.tif 000003
【図２】
0003172945.tif 000004
【図３】
0003172945.tif 000005
【図４】
0003172945.tif 000006
【図５】
0003172945.tif 000007
【図６】
0003172945.tif 000008
【図７】
0003172945.tif 000009
【図８】
0003172945.tif 000010
【図９】
0003172945.tif 000011
【図１０】
0003172945.tif 000012
【図１１】
0003172945.tif 000013
【図１２】
0003172945.tif 000014
【図１３】
0003172945.tif 000015
【図１４】
0003172945.tif 000016
【図１５】
0003172945.tif 000017
【図１６】
0003172945.tif 000018
【図１７】
0003172945.tif 000019
【図１８】
0003172945.tif 000020
【図１９】
0003172945.tif 000021
【図２０】
0003172945.tif 000022
【図２１】
0003172945.tif 000023
【図２２】
0003172945.tif 000024
【図２３】
0003172945.tif 000025
【図２４】
0003172945.tif 000026
【手続補正書】
【提出日】平成23年11月8日(2011.11.8)
【手続補正１】
【補正対象書類名】実用新案登録請求の範囲
【補正対象項目名】全文
【補正方法】変更
【補正の内容】
【実用新案登録請求の範囲】
【請求項１】
第１支持部材、第１管部材、第２管部材、接続部材、第１留め金と、を有する伸縮機能を備えた支持装置であって、
前記第１支持部材は、第１結合部と第１支持部とを有し、前記第１結合部と前記第１支持部は、それぞれ前記第１支持部材の両端部に位置されており、
前記第１管部材は、前記第１支持部材の第１結合部に固定していて、前記第１管部材は、第１収容空間と、複数の第１固定穴と、を備えており、前記第１収容空間は、軸方向により前記第１管部材に設けられ、前記第１固定穴は、径方向により前記第１管部材を貫通していて、前記第１収容空間に連絡し、前記第１固定穴は、前記第１管部材の径方向位置に平行して配設されている、
前記第２管部材は、前記第１管部材を受け持ち、前記第２管部材は、第２収容空間と、複数の第２固定穴と、を有し、前記第２収容空間は、軸方向により前記第２管部材に設けられ、前記第２固定穴は、径方向により前記第２管部材に穿設していて、かつ前記第２固定穴は、前記第２収容空間に連絡され、前記第２固定穴は、前記第２管部材の径方向位置に平行して配設されており、
前記接続部材は、接続部と、第１スクリューレバーと、を設けられ、前記接続部の円中心部に、前記第１スクリューレバーが形成されており、
前記第１留め金は、第１調節穴と、少なくとも一つの第１固定部とを有し、前記第１調節穴は、前記第１スクリューレバーに設けられ、前記第１固定部は、前記第１固定穴と、前記第２固定穴に固定することができる、使用者が前記第１留め金の前記第１固定部を圧下し、前記第１固定部を前記第１固定穴より引き離し、前記第１管部材と前記第２管部材は、前記第１留め金に対して摺動することにより、支持装置の長さを調節することができることを特徴とする伸縮機能を備えた支持装置。
【請求項２】
第２支持部材、第３管部材、第４管部材と、第２留め金を有し、前記第２支持部材は、第２結合部と、第２支持部と、を含み、前記第２結合部と、前記第２支持部は、それぞれ前記第１支持部材の両端部に位置し、前記第３管部材は、前記第２支持部材の前記第２結合部に固定され、前記第３管部材は、第３収容空間と複数の第３固定穴と、を設けられ、前記第３収容空間は、軸方向により前記第３管部材に設けられ、前記第３固定穴は、径方向により前記第３管部材に貫通していて、前記第３収容空間に達しており、前記第３固定穴は、前記第３管部材の径方向位置に平行して配設され、前記第４管部材は、前記第３管部材を支持し、前記第４管部材は、第４収容空間と、複数の第４固定穴と、を設けられ、前記第４収容空間は、軸方向に前記第４管部材に設けられ、前記第４固定穴は、径方向により前記第４管部材を貫通していて、前記第４収容空間に達し、前記第４固定穴は、前記第４管部材の径方向位置に平行して配設され、前記接続部材は、第２スクリューレバーを設けられ、前記接続部の円中心部に前記第２スクリューレバーを形成していて、前記接続部の円中心部に反対の両端部は、前記第１スクリューレバーと前記第２スクリューレバーと、が形成されており、前記第２留め金は、第２調節穴と、少なくとも一つの第２固定部と、を設けられ、前記第２調節穴は、前記第２スクリューレバーに設けられ、前記第２固定部は、前記第３固定穴と、前記第４固定穴に固定することができ、使用者は前記第３管部材と前記第４管部材を相対的に摺動することにより、支持装置の長さを調節することができることを特徴とする請求項１記載の伸縮機能を備えた支持装置。
【請求項３】
前記第１管部材の両側に、前記第１固定穴が設けられ、前記第２管部材の両側も前記第２固定穴を設けられており、前記第１留め金の中間部は、前記第１調節穴を設けられていて、前記第１調節穴はねじ穴を形成し、前記第１留め金の両端は、中間部において、折曲状の２本の第１脚を形成され、前記第１脚に第１固定部を凸設し、２つの前記第１固定部は、それぞれ反対の両端部に向かっていて、前記第３管部材の両側に前記第３固定穴が設けられ、前記第４管部材の両側に前記第４固定穴が設けられ、前記第２留め金の中間部に、前記第２調節穴が設けられ、前記第２調節穴は、ねじ穴を形成し、前記第２留め金の両端は、中間部に対して、折曲状を形成した２本の第２脚が形成されており、前記第２脚は、前記第２固定部が凸設され、前記第２固定部は、それぞれ反対側に向かっていて、前記第１留め金は、第１ナットを設けられ、前記第２留め金は、第２ナットを設けられており、前記第１ナットは、前記第１留め金の中間部に固定され、前記第１ナットのねじ穴は、前記第１調節穴に対応し、前記第２ナットのねじ穴は、前記第２調節穴に対応して、前記第１ナットによって、前記第１留め金と前記第１スクリューレバーとの螺合の部位を増やし、前記第２ナットによって、前記第２留め金と前記第２スクリューレバーとの螺合の部位を増やし、前記第１スクリューレバーと前記第２スクリューレバーのねじ山は、それぞれ正方向のねじ山と逆方向のねじ山となっており、使用者が前記接続部材を回して、前記接続部材の前記第１スクリューレバーを前記第１留め金の前記第１調節穴に対して回動し、前記接続部材の前記第２スクリューレバーを前記第２留め金に対して回動することにより、前記第１留め金と前記第２留め金が同時に前記接続部を接近または引き離すことができ、前記接続部材は、第１嵌合部と第２嵌合部と、を設けられ、前記接続部の外周縁が反対する両端部に向かって、第１嵌合部と第２嵌合部を設けられ、前記第１嵌合部は、前記第１スクリューレバーに対応していて、前記第１嵌合部の長さは、前記第１スクリューレバーの長さより小さく、前記第２嵌合部は、前記第２スクリューレバーに対応していて、前記第２嵌合部の長さは、前記第２スクリューレバーの長さより小さい、前記第１嵌合部を前記第２管部材に嵌合し、前記第２嵌合部を前記第４管部材に嵌合し、前記第１管部材は、筒状を形成し、前記第１管部材は、第１結合端を設けられ、前記第１結合端は、前記第１管部材の一端に位置し、前記第１結合端は、前記第１結合部に当設しており、前記第２管部材は、筒状を形成し、前記第２管部材は、第２結合端を設けられ、前記第２結合端は、前記第２管部材の一端に位置し、前記第３管部材は、筒状を形成し、前記第３管部材に第３結合端を設けられ、前記第３結合端は、前記第３管部材の一端に位置し、前記第３結合端は、前記第２結合部に当設していて、前記第４管部材は筒状を形成し、前記第４管部材は、第４結合端を設けられ、前記第４結合端は、前記第４管部材の一端に位置することを特徴とする請求項２記載の伸縮機能を備えた支持装置。